(57)【特許請求の範囲】
【請求項１】
前後２条の賞品球用排出路と、前記賞品球用排出路とは別の前後２条の貸球用排出路と、前記前後２条の賞品球用排出路に１球ずつ交互に賞品球の排出を行う賞品球の払出しと前記前後２条の貸球用排出路に１球ずつ交互に貸球の排出を行う貸球の払出しとを択一的に行う球排出装置と、メイン制御装置と、前記球排出装置を制御する払出制御装置とを備え、
前記前後２条の賞品球排出路の各々に排出球センサを設け、前記メイン制御装置が前記払出制御装置に賞品球の払出個数の設定をする賞球コマンドを送信した後、前記メイン制御装置は、前記排出球検出センサのうちの一方からの検出信号が入力されなかった場合に、片払出しエラーと判別して片払出しエラーコマンドを前記払出制御装置に送信し、前記片払出しエラーコマンドを送信後、検出信号が入力されなかった一方の排出球センサから検出信号が入力された場合に片払出しエラー解除と判別して片払出しエラー解除コマンドを前記払出制御装置に送信することを特徴とするパチンコ遊技機。
【請求項２】
前記球排出装置は賞球モータを有し、該賞球モータの正転により賞品球を前記賞品球用排出路に払い出す一方、前記賞球モータの逆転により貸球を前記賞品球用排出路とは別の前記貸球用排出路に払い出すものであることを特徴とする請求項１に記載のパチンコ遊技機。
【発明の詳細な説明】
【０００１】
【発明の属する技術分野】
本発明は、メイン制御装置から賞品球の払出開始指令及び払出個数の指定を受けて球排出装置を駆動制御して賞品球の払出しを行う払出制御装置を備えたパチンコ遊技機に関するものである。
【０００２】
【従来の技術】
パチンコ遊技の総括的な制御を行うメイン制御装置と、主として賞品球の排出を行う球排出装置と、メイン制御装置から賞品球の払出開始指令及び払出個数の指定を受けて球排出装置を駆動制御して賞品球の払出しを行う払出制御装置を備えたパチンコ遊技機は、公知である。
【０００３】
上記タイプのパチンコ遊技機は、払出制御装置がメイン制御装置から賞品球の払出開始指令及び払出個数の指定を受けると、指定された払出個数に対応して球排出装置を駆動制御して賞品球の払出しを行うが、払出制御装置は、賞品球の払出し制御と共に球排出装置による賞品球の払出しに異常（払出しエラー）が発生しているか否かを監視している。
【０００４】
また、カード式のパチンコ遊技機が広く知られているが、カード式のパチンコ遊技機では、貸球要求に対する貸球の排出は、払出制御装置がカードユニットから指定された貸球要求指令に対応して球排出装置を駆動制御して所定数（一般に２５個）の貸球の排出（払出し）を行う構成を広く採用しており、また、払出制御装置は、貸球の払出し制御と共に球排出装置による貸球の払出しに異常が発生しているか否かをも監視している。
【０００５】
上述のように、従来では、賞品球の払出し状態が正常であるか払出しエラーであるかの監視が払出制御装置のみで行われているため、仮に払出しエラーが発生した時に、メイン制御装置が指定した指令賞品球数と、実際に払い出された球数とが不一致となった場合（指令賞品球数に対して実排出球数が少ない場合と、指令賞品球数に対して実排出球数が多い場合とが考えられる）、メイン制御装置では払出しエラーの発生による指令賞品球数と実排出球数との不一致を検知できない。
【０００６】
【発明が解決しようとする課題】
本発明の目的は、賞品球の払出し状態に異常が発生したことをメイン制御装置が検知でき、特に、賞品球の排出路を２条とし、各条の賞品球の排出路のそれぞれについて払出し状態に異常が発生したことをメイン制御装置が検知できるパチンコ遊技機を提供することにある。
【０００７】
【課題を解決するための手段】
本発明の請求項１に記載のパチンコ遊技機は、前後２条の賞品球用排出路と、前記賞品球用排出路とは別の前後２条の貸球用排出路と、前記前後２条の賞品球用排出路に１球ずつ交互に賞品球の排出を行う賞品球の払出しと前記前後２条の貸球用排出路に１球ずつ交互に貸球の排出を行う貸球の払出しとを択一的に行う球排出装置と、メイン制御装置と、前記球排出装置を制御する払出制御装置とを備え、前記前後２条の賞品球排出路の各々に排出球センサを設け、前記メイン制御装置が前記払出制御装置に賞品球の払出個数の設定をする賞球コマンドを送信した後、前記メイン制御装置は、前記排出球検出センサのうちの一方からの検出信号が入力されなかった場合に、片払出しエラーと判別して片払出しエラーコマンドを前記払出制御装置に送信し、前記片払出しエラーコマンドを送信後、検出信号が入力されなかった一方の排出球センサから検出信号が入力された場合に片払出しエラー解除と判別して片払出しエラー解除コマンドを前記払出制御装置に送信することを特徴とする。
【０００８】
請求項２に記載のパチンコ遊技機は、請求項１に記載のものにおいて、前記球排出装置が賞球モータを有し、該賞球モータの正転により賞品球を前記賞品球用排出路に払い出す一方、前記賞球モータの逆転により貸球を賞品球用排出路とは別の前記貸球用排出路に払い出すものであることを特徴とするものである。
【０００９】
【発明の実施の形態】
以下、図面を参照して本発明の実施の形態を説明する。図１は、本実施形態のパチンコ遊技機に配備された遊技盤面の正面図である。また、図２は、各表示ランプ並びに表示ＬＥＤを示す遊技盤面の正面図である。
【００１０】
図１に示すように、遊技盤面１の中央上部には第１図柄表示装置２を中央に組み付けた図柄表示ユニット３が配設され、図柄表示ユニット３の下方の遊技盤面１の中央にはセンタ役物装置４が配設され、センタ役物装置４の左方及び右方には、ソレノイドにより拡開動作する入賞口を有した普通電動役物からなる第１可変入賞装置５，６がそれぞれ配設され、センタ役物装置４の下方にはソレノイドにより拡開動作する入賞口を有した普通電動役物からなる第２可変入賞装置７が配設され、第２可変入賞装置７の下方の遊技盤面１の中央下部にはソレノイドにより拡開動作する入賞口を有した普通電動役物からなる第３可変入賞装置８が配設されている。
【００１１】
また、第２可変入賞装置７の前面下部には第２図柄表示装置９が配設され、第３可変入賞装置８の前面下部には第３図柄表示装置１０が配設されている。
【００１２】
図３はセンタ役物装置４の拡大正面図であり、図４はセンタ役物装置４を拡大して示す斜視図である。センタ役物装置４は、遊技盤面に装着される基板１１の上端前面に略水平な天板１２を備え、天板１２の下側に天板１２に間隔を開けて対向する仕切板１３が基板１２の前面上部に突設され、天板１２と仕切板１３との間の空間により上部入球部１４が形成され、該上部入球部１４の左側方と右側方とがそれぞれ遊技盤面１に対して開口されてそれぞれ球受入口１５，１５が形成されている。
【００１３】
基板１１の中央前面には、仕切板１３の右側端から基板１１の下部に向けて基板１１の周縁寄りに沿って弧状に形成されると共に、基板１１の下部右側から下部左側に向けて水平に形成され、さらに基板１１の下部左側から仕切板１３の左側端に向けて基板１１の周縁寄りに沿って弧状に形成された隔壁１６を備えた透視可能な材料からなる前面カバー１７が装着されている。
【００１４】
前面カバー１７によって外部と隔てられた内部の空間により下部入球部１８が形成され、上部入球部１４と下部入球部１８とを仕切っている仕切板１３の中央には、上部入球部１４と下部入球部１８とを連通する落入孔１９が設けられている。該落入孔１９の直下となる下部入球部１８の上部には、上方に向け円弧凸状に形成された振分片２０が左右方向に向けて基板１１から突設され、振分片２０の下側の下部入球部１８の中央には、図示しない駆動モータにより常時時計方向に回転される装飾用の回転体２１が配設され、下部入球部１８の下部の左側と右側とにそれぞれ球入口２２ａ，２２ｂが基板１１に設けられ、下部入球部１８の下部中央に第１作動口２３が基板１１に設けられている。
【００１５】
また、センタ役物装置４の基板１１の下部中央には、下部入球部１８の左側と右側とにそれぞれ設けられた球入口２２，２２に連通した球出口２４が設けられている。
【００１６】
図１において、センタ役物装置４の内部に設けられた第１作動口２３は、センタ役物装置４の上方に配設された第１図柄表示装置２における図柄変動開始の作動口に設定されている。第１図柄表示装置２は、左図柄表示部Ａ及び右図柄表示部Ｂを備える。
【００１７】
また、ソレノイドによって拡開される左右の第１可変入賞装置５，６の各入賞口は、第２図柄表示装置９における図柄変動開始の作動口である第２作動口２５ａ，２５ｂにそれぞれ設定されている。第２図柄表示装置９は、左図柄表示部Ｃ及び右図柄表示部Ｄを備える。
【００１８】
この第２作動口２５ａ，２５ｂは、常態においては（障害釘により）パチンコ球の入賞が不可能とされている。また、第１図柄表示装置２が変動後に停止した図柄が特定図柄に一致した場合に、即ち、第１図柄表示装置２において変動停止した左図柄Ａ及び右図柄Ｂの組み合せが、「１，１」、「３，３」、「５，５」、「７，７」、「９，９」のうちのいずれかに一致した場合に、第１可変入賞装置５，６が共に作動して第２作動口２５ａ，２５ｂを約５．８秒間開放し、第２作動口２５ａ，２５ｂへのパチンコ球の入賞が可能となる。
【００１９】
さらに、ソレノイドによって拡開される第２可変入賞装置７の入賞口は、第３図柄表示装置１０における図柄変動開始の作動口である第３作動口２６に設定されている。第３図柄表示装置１０は、左図柄表示部Ｅ及び右図柄表示部Ｆを備える。
【００２０】
第３作動口２６は、常態においては（障害釘により）パチンコ球の入賞が不可能とされている。また、第２図柄表示装置９が変動後に停止した図柄が特定図柄に一致した場合に、即ち、第２図柄表示装置９において変動停止した左図柄Ｃ及び右図柄Ｄの組み合せが、「１，１」〜「９，９」、「Ａ，Ａ」、「Ｂ，Ｂ」、「Ｃ，Ｃ」のうちのいずれかに一致した場合に、第２可変入賞装置２が作動して第３作動口２６を約２９．７秒間に約２．８秒の開放を２回行い、第３作動口２６へのパチンコ球の入賞が可能となる。
【００２１】
また、ソレノイドによって拡開される第３可変入賞装置８の入賞口２７は、常態においては（障害釘により）パチンコ球の入賞が不可能とされている。また、第３図柄表示装置１０が変動後に停止した図柄が特定図柄に一致した場合に、即ち、第３図柄表示装置１０において変動停止した左図柄Ｅ及び右図柄Ｆの組み合せが、「１，１」〜「９，９」、「Ａ，Ａ」、「Ｂ，Ｂ」、「Ｃ，Ｃ」のうちのいずれかに一致した場合に、第３可変入賞装置８が作動してその入賞口２７を約約３．４秒開放し、当該入賞口２７へのパチンコ球の入賞が可能となる。
【００２２】
遊技盤面１には、ランプ付き風車４８，４８、風車２８，２８、普通入賞口としての各チャッカ（袖チャッカ２９ａ，２９ｂ、袖下チャッカ３０ａ，３０ｂ、落しチャッカ３１ａ，３１ｂ）、装飾ＬＥＤ装置３２，３３、アウト受入口３４が配備されているが、これらの各要素については公知であるので詳細な説明を省略する。
【００２３】
尚、遊技盤面１に設けられた計１１個の入賞口は、即ち、第１作動口２３、第２作動口２５ａ，２５ｂ、第３作動口２６、第３可変入賞装置８の入賞口２７、左右の袖チャッカ２９ａ，２９ｂ、左右の袖下チャッカ３０ａ，３０ｂ、左右の落しチャッカ３１ａ，３１ｂは、入賞に対する賞品球の払出数が１５個に設定されている。即ち、１１個の全ての入賞口が１５個払出し口設定されている。
【００２４】
次に、遊技盤面に配備された各表示ランプ並びに表示ＬＥＤについて説明する。図２に示すように、図柄表示ユニット３の第１図柄表示装置２の上方には、第１作動口２３への入賞記憶を最大４つまで点灯表示する記憶数表示ＬＥＤ３５が配備されている。また、第２可変入賞装置７の前面には、第２図柄表示装置９の左右に２個ずつ第２作動口２５への入賞記憶を最大４つまで点灯表示する記憶数表示ＬＥＤ３６が配備されている。さらに、第３可変入賞装置８の前面には、第３図柄表示装置１０の左右に２個ずつ第３作動口２６への入賞記憶を最大４つまで点灯表示する記憶数表示ＬＥＤ３７が配備されている。
【００２５】
また、センタ役物装置４の基板１１の背後には表示ランプ３８が配設され、左右の第１可変入賞装置５，６の内部には飾りＬＥＤ３９，３９が配備され、左右の袖チャッカ２９ａ，２９ｂの内部には表示ランプ４０，４０が配備され、左右の袖下チャッカ３０ａ，３０ｂの内部には表示ランプ４１，４１が配備されている。また、遊技盤面１の左側に設けられた左装飾ＬＥＤ装置３２には４つの飾りＬＥＤ（Ｎ１，Ｎ３，Ｎ５，Ｎ７）が配備され、遊技盤面の右側に設けられた右装飾ＬＥＤ装置３３には４つの飾りＬＥＤ（Ｎ２，Ｎ４，Ｎ６，Ｎ８）が配備されている。ランプ付き風車４８，４８の内部には表示ランプ４４，４４が配備されている。
【００２６】
遊技盤面１の上部には、球レール４５の外側に沿って所定の間隔でそれぞれ飾りＬＥＤ４２及び飾りＬＥＤ４３が配備され、遊技盤面１の上部左隅には払出しランプ４６が配設され、遊技盤面１の上部右隅には球切れランプ４７が配備されている。
【００２７】
図５は、各種入賞検出スイッチや各種ソレノイドの配設状態示す遊技盤の裏面図である。遊技盤の裏面１′には、各種入賞口に対応して球誘導樋並びに入賞検出スイッチが設けられると共に、センタ役物装置４の回転体２１を回転駆動する回転体用モータＭ３、第１乃至第３可変入賞装置５，６，７，８を作動するソレノイドＳＯＬ１ａ，ＳＯＬ１ｂ，ＳＯＬ２，ＳＯＬ３が配備されている。
【００２８】
図５に示すように、図１のセンタ役物装置４に設けられた第１作動口２３に対しては、第１作動口２３に入賞したパチンコ球を誘導する球誘導樋４９が設けられ、球誘導樋４９の末端には第１作動口２３に入賞したパチンコ球を検出する第１作動口入賞検出スイッチＳＷ１が設けられている。
【００２９】
図１の第１可変入賞装置５の第２作動口２５ａに対しては、第２作動口２５ａに入賞したパチンコ球を誘導する球誘導樋５０が設けられ、球誘導樋５０の末端には第２作動口２５ａに入賞したパチンコ球を検出する第２作動口入賞検出スイッチＳＷ２ａが設けられている。
【００３０】
図１の第１可変入賞装置６の第２作動口２５ｂに対しては、第２作動口２５ｂに入賞したパチンコ球を誘導する球誘導樋５１が設けられ、球誘導樋５１の末端には第２作動口２５ｂに入賞したパチンコ球を検出する第２作動口入賞検出スイッチＳＷ２ｂが設けられている。
【００３１】
図１の第２可変入賞装置７の第３作動口２６に対しては、第３作動口２６に入賞したパチンコ球を誘導する球誘導樋５２が設けられ、球誘導樋５２の末端には第２作動口２６に入賞したパチンコ球を検出する第３作動口入賞検出スイッチＳＷ３が設けられている。
【００３２】
図１の第３可変入賞装置８の入賞口２７に対しては、当該入賞口２７に入賞したパチンコ球を検出する入賞検出スイッチＳＷ４が設けられている。
【００３３】
図１の左袖チャッカ２９ａ及びその下方の左袖下チャッカ３０ａに対しては、これらのチャッカ２９ａ，３０ａに入賞したパチンコ球を誘導する球誘導樋５３が（上下方向に）設けられ、球誘導樋５３の末端（下端）には、これらのチャッカ２９ａ，３０ａに入賞したパチンコ球を検出する入賞検出スイッチＳＷ５が設けられている。
【００３４】
同じく、図１の右袖チャッカ２９ｂ及びその下方の右袖下チャッカ３０ｂに対しては、これらのチャッカ２９ｂ，３０ｂに入賞したパチンコ球を誘導する球誘導樋５４が（上下方向に）設けられ、球誘導樋５４の末端（下端）には、これらのチャッカ２９ｂ，３０ｂに入賞したパチンコ球を検出する入賞検出スイッチＳＷ６が設けられている。
【００３５】
図１の左落しチャッカ３１ａに対しては、左落しチャッカ３１ａに入賞したパチンコ球を検出する入賞検出スイッチＳＷ７が設けられ、右落しチャッカ３１ｂに対しては、右落しチャッカ３１ｂに入賞したパチンコ球を検出する入賞検出スイッチＳＷ８が設けられている。
【００３６】
以上のように、賞品球の払出し起動のための入賞球の検出を遊技盤面に設けられた各入賞口毎または遊技盤裏面に配設された球誘導樋の別に入賞検出手段（入賞検出スイッチ）が設けられている。
【００３７】
図６は、実施形態のパチンコ遊技機に配備された制御系統の要部ブロック図である。メイン制御装置５４は図示しないメイン制御基板に配備される。パチンコ遊技全体に関わる制御を行うための処理実行手段としてのメインＣＰＵと、メインＣＰＵが実行するためのパチンコ遊技全体に関わる制御プログラムが格納されているＲＯＭと、随時読み出しおよび書き込みが可能なＲＡＭと、メインＣＰＵが周辺機器との間でデータ通信を行うための通信インタフェースとにより構成されている。なお、メイン制御装置５４の具体的な構成については図示を省略する。
【００３８】
図６に示すように、メイン制御装置５４は、図示しない払出し制御基板に配備された払出制御装置６９と、メイン制御装置５４から払出制御装置６９に向けて一方向通信が可能に接続されている。なお、メイン制御装置５４から払出制御装置６９に向けて送信される通信データは、払出指令及び払出個数を含む賞球コマンド、メイン制御装置５４がエラーを検出した場合に送信されるエラーコマンド及びメイン制御装置５４がエラー解除を検出した場合に送信されるエラー解除コマンドである。
【００３９】
図６に示すように、メイン制御装置５４には、スイッチ入力回路５５を介して前述の各種入賞検出スイッチＳＷ１乃至ＳＷ８が接続されるほか、スイッチ入力回路５６を介して下皿に至る賞品球の排出経路の満タン状態を検出する満タン検出器５７と、後述の球排出装置７０にパチンコ球を供給する前後２条の球供給路７６の球切れ状態を検出する空切り検出器５８とが接続されている（図７参照）。
【００４０】
また、メイン制御装置５４には、表示用ドライバ５９乃至６１を介して第１図柄表示装置２、第２図柄表示装置９及び第３図柄表示装置１０がそれぞれ接続され、表示用ドライバ６２を介して前述した各種表示ランプ３８，４０，４１，４４，４６，４７並びに各種ＬＥＤ３５，３６，３７，３９，４２，４３，Ｎ１〜Ｎ８が接続されている。さらに、メイン制御装置５４には、ドライバ６３乃至６５を介して第１可変入賞装置５乃至第３可変入賞装置７を各々作動するソレノイドＳＯＬ１乃至ＳＯＬ３がそれぞれ接続されている。
【００４１】
また、メイン制御装置５４には、音駆動部６６を介して効果音や警報を発生するためのスピーカ６７が接続されている。図示していないが、メイン制御装置５４には電源（図示せず）やメイン制御装置の処理サイクルを規定するクロック回路（図示せず）が接続されている。
【００４２】
図７は、実施形態のパチンコ遊技機におけるパチンコ球の払出し装置６８の要部ブロック図である。尚、本実施形態のパチンコ遊技機はカード式のパチンコ遊技機としてある。
【００４３】
払出制御装置６９は、制御処理実行手段としてのサブＣＰＵと、サブＣＰＵが行う各制御プログラムを格納したＲＯＭと、随時データの読み出し並びに書き込みが可能なＲＡＭと、メイン制御装置５４と通信を行うための通信インタフェースとにより構成されている。なお、払出制御装置６９の内部構成については図示を省略する。
【００４４】
払出制御装置６９は、前述のメイン制御装置５４に対して通信接続されている他、賞品球の払出しを行う球排出装置７０と、球貸し操作に応じて貸球要求信号を払出制御装置６９に送るカードユニット７１と、遊技盤面に向けてパチンコ球を弾発するための打球発射装置（図示せず）の発射モータＭ２が接続されている。
【００４５】
球排出装置７０は、例えば、パチンコ球を受け入れる球受部が複数周設された同一形状の２枚のスプロケットを軸に同心に固着すると共に、２枚のスプロケットを前後に間隔を開けて該軸回りの回転方向において互いの球受部を半ピッチずらして配置して構成された回転球受体と、前記回転球受体を固着した軸に同軸に、駆動軸を連結した賞球モータとを有し、回転球受体の回転により、前後２条の球供給路７６から供給されるパチンコ球を２枚のスプロケットの球受部に１球ずつ交互に受け入れて排出側に移送し、１球ずつ交互に排出するものである。本実施形態では、前記賞球モータは、正転及び逆転が可能なステッピングモータにより構成してある。
【００４６】
また、払出制御装置６９に接続されたカードユニット７１は、プリペイドカードを挿入し、該プリペイドカードに記憶された金額から球貸操作に応じた金額を差し引くと共に、球貸操作に応じた金額に相当する貸球要求信号を払出制御装置６９に出力するもので、１回の球貸操作につき、該プリペイドカードに記憶された金額から１００円を差し引くと共に、貸球２５個を１単位として貸球要求信号を払出制御装置６９に出力する。
【００４７】
払出制御装置６９は、メイン制御装置５４から送信される払出指令及び払出個数を含む賞球コマンドに応じ、指令された払出個数に対応して賞球モータＭ１を回転駆動し、球排出装置７０に対するパチンコ球の払出制御を行う。また、払出制御装置６９は、カードユニット７１から送られた貸球要求信号を受けると、貸球個数２５個に対応して賞球モータＭ１を回転駆動し、球排出装置７０に対するパチンコ球の払出制御を行う。
【００４８】
本実施形態では、球排出装置７０に賞品球用排出路（前後２条）７２と貸球用排出路（前後２条）７３との２本を設け、球排出装置７０の賞球モータＭ１の正転／逆転による球排出用の回転球受体の回転方向の別により排出方向を切り換え、賞品球の排出時には賞球モータＭ１を正転（図７において時計回りの回転）し、前後２条の賞品球用排出路７２に対して賞品球を１球ずつ交互に排出する一方、貸球の排出時には賞球モータＭ１を逆転（図７において反時計回りの回転）し、前後２条の貸球用排出路７３に貸球を１球ずつ交互に排出する構成とし、賞品球と貸球とを区別して排出できるようにしてある。
【００４９】
また、賞品球と貸球とを区別して検出するために、賞品球用排出路７２の中途と貸球用排出路７３の中途とに排出球検出センサ７４，７５（例えば、フォトセンサにより構成）をそれぞれ設けている。
【００５０】
なお、賞品球用排出路７２と貸球用排出路７３とは、それぞれ前後２条で形成されているので、排出球検出センサ７４を前後２条のそれぞれに設け、排出球検出センサ７５も同様に前後２条のそれぞれに設けてある。
【００５１】
そして、賞品球の排出時には賞品球用排出路７２に設けた排出球検出センサ７４の検出信号を、スイッチ入力回路５６を介してメイン制御装置５４に入力し、例えば、２ｍｓ毎に排出球検出センサ７４の検出信号の有無を監視し、排出球検出センサ７４の検出信号があれば計数し、指令した払出個数に対して実質的に排出されたパチンコ球の排出数を監視する。
【００５２】
排出球検出センサ７４の検出信号は、払出制御装置６９にも入力され、払出制御装置６９は排出球検出センサ７４の検出信号があれば計数し、指令した払出個数に達すると、賞球モータＭ１を停止する。
【００５３】
また、貸球の排出時には、前後２条の貸球用排出路７３に設けた各排出球検出センサ７５の検出信号を払出制御装置５９に入力し、各排出球検出センサ７５の検出信号の有無を監視し、排出球検出センサ７５の検出信号があれば計数し、指令した貸球個数に対して実質的に排出されたパチンコ球の排出数を監視する。
【００５４】
その他、払出制御装置５９は、メイン制御装置５４から送信されるエラーコマンドとエラー解除コマンドとに応じて発射モータＭ２の作動停止及び作動停止解除に関する制御と、賞球モータＭ１の作動停止及び作動停止解除に関する制御を行うが、この説明に関しては後述することにする。
【００５５】
次に、図１を参照してパチンコ遊技機の遊技内容について説明する。図８は、第１図柄表示装置２において当りが発生し、第２図柄表示装置９において当りが発生し、第３図柄表示装置１０において当りが発生した場合の第１乃至第３可変入賞装置の動作タイミングチャートである。
【００５６】
また、図９乃至図１３は、遊技状態の別に対応する第１図柄表示装置２、第２図柄表示装置９、第３図柄表示装置１０及び各種表示ランプ・ＬＥＤの点灯態様を示す表である。さらに、図１４乃至図１５は、遊技状態の別に対応する効果音の音表示態様を示す表である。尚、各種表示ランプ・ＬＥＤの点灯態様及び効果音の音表示態様については、図面によってのみ示すものとし、詳細な説明は省略する。
【００５７】
センタ役物装置４の回転体２１は、電源投入時から時計回りに１分間で１５回転する。遊技盤面１に弾発したパチンコ球がセンタ役物装置４の上部左右に開口した球受入口１５，１５のいずれかに入ると、図４に示すように、該パチンコ球は、上部入球部１４に入り、仕切板１３に設けられた落入孔１９から下部入球部１８に落下し、振分片２０に衝突すると共に左右のいずれかに振り分けられる。振分片２０により振り分けられたパチンコ球は、下部入球部１８の下部に向けて転動し、左方の球入口２２ａ、中央の第１作動口２３及び右方の球入口２２ｂのうちのいずれか１つに入る。
【００５８】
振り分けられたパチンコ球が、左方の球入口２２ａまたは右方の球入口２２ｂに入った場合には、センタ役物装置４の下部に設けられた球出口２４から再び遊技盤面１に排出される。また、振り分けられたパチンコ球が、中央の第１作動口２３に入賞した場合には、図５に示すように、球誘導樋４９により誘導され、第１作動口入賞検出スイッチＳＷ１により検出された後、パチンコ遊技機内に回収される。
【００５９】
なお、第１作動口２３への第１図柄表示装置２の図柄変動開始に関わる入賞は、メイン制御装置５４により最大４つまで記憶され、記憶個数に対応して記憶数表示ＬＥＤ３５により個数点灯される。尚、入賞口への入賞に対する１５個払出しについては、入賞個数に対応して払い出しを行う。即ち、５個入賞した場合には、５個分の入賞に対応する１５個払出しを行う。
【００６０】
第１作動口２３にパチンコ球が入賞すると、第１図柄表示装置２において左図柄Ａ、右図柄Ｂの順で変動を開始する。第１図柄表示装置２は図柄変動を開始してから約６．９秒経過すると、左図柄Ａ、右図柄Ｂの順で図柄変動を停止する。変動停止した左図柄Ａ及び右図柄Ｂの組み合せが、「１，１」、「３，３」、「５，５」、「７，７」、「９，９」のうちのいずれかに一致した場合に、第１図柄表示装置２に関して当りとなり、第１可変入賞装置５，６が共に作動して第２作動口２５ａ，２５ｂを約５．８秒間開放し、第２作動口２５ａ，２５ｂへのパチンコ球の入賞が可能となる（図８参照）。
【００６１】
また、変動停止した左図柄Ａ及び右図柄Ｂの組み合せが、「１，１」、「３，３」、「５，５」、「７，７」、「９，９」のどれにも一致しない場合には、第１図柄表示装置２に関して外れとなる。前記の外れの場合、第１可変入賞装置５，６の作動は行われない。
【００６２】
開放中の第２作動口２５ａ，２５ｂのいずれかにパチンコ球が入賞すると、図５に示すように、第２作動口２５ａに入賞した場合には球誘導樋５０により誘導され、第２作動口入賞検出スイッチＳＷ２ａにより検出された後、パチンコ遊技機内に回収される一方、第２作動口２５ｂに入賞した場合には球誘導樋５１により誘導され、第２作動口入賞検出スイッチＳＷ２ｂにより検出された後、パチンコ遊技機内に回収される。
【００６３】
なお、第２作動口２５ａ，２５ｂへの第２図柄表示装置９の図柄変動開始に関わる入賞は、メイン制御装置５４により２つの作動口への入賞を合わせて最大４つまで記憶され、記憶個数に対応して記憶数表示ＬＥＤ３６により個数点灯される。尚、入賞口への入賞に対する１５個払出しについては、入賞個数に対応して払い出しを行う。即ち、５個入賞した場合には、５個分の入賞に対応する１５個払出しを行う。
【００６４】
第２作動口２５にパチンコ球が入賞すると、第２図柄表示装置９において左図柄Ｃおよび右図柄Ｄが同時に変動を開始する。第２図柄表示装置９は図柄変動を開始してから約１０．０秒経過すると、左図柄Ｃ及び右図柄Ｄが同時に図柄変動を停止する。変動停止した左図柄Ｃ及び右図柄Ｄの組み合せが、「０，０」〜「Ｃ，Ｃ」のうち、「１，１」〜「９，９」、「Ａ，Ａ」、「Ｂ，Ｂ」、「Ｃ，Ｃ」のうちのいずれかに一致した場合に、、第２図柄表示装置９に関して当りとなり、第２可変入賞装置７が作動し、約２９．７秒間に第３作動口２６の約２．８秒の開放を２回行い、第３作動口２６へのパチンコ球の入賞が可能となる（図８参照）。
【００６５】
また、変動停止した左図柄Ｃ及び右図柄Ｄの組み合せが、「０，０」に一致した場合には、第２図柄表示装置９に関して外れとなる。前記の外れの場合、第２可変入賞装置９の作動は行われない。
【００６６】
開放中の第３作動口２６にパチンコ球が入賞すると、図５に示すように、このパチンコ球は球誘導樋５２により誘導され、第３作動口入賞検出スイッチＳＷ３により検出された後、パチンコ遊技機内に回収される。
【００６７】
なお、第３作動口２６への第３図柄表示装置１０の図柄変動開始に関わる入賞は、メイン制御装置５４により最大４つまで記憶され、記憶個数に対応して記憶数表示ＬＥＤ３７により個数点灯される。尚、入賞口への入賞に対する１５個払出しについては、入賞個数に対応して払い出しを行う。即ち、５個入賞した場合には、５個分の入賞に対応する１５個払出しを行う。
【００６８】
第３作動口２６にパチンコ球が入賞すると、第３図柄表示装置１０において左図柄Ｅおよび右図柄Ｆが同時に変動を開始する。第３図柄表示装置１０は図柄変動を開始してから約５．４秒以上経過すると、左図柄Ｅ及び右図柄Ｆが同時に図柄変動を停止する。なお、第３図柄表示装置１０の図柄変動に関する作動口入賞記憶による変動の場合には、図柄変動を開始してから約３．０秒経過して変動を停止する（図８参照）。
【００６９】
変動停止した左図柄Ｅ及び右図柄Ｆの組み合せが、「０，０」〜「Ｃ，Ｃ」のうち、「１，１」〜「９，９」、「Ａ，Ａ」、「Ｂ，Ｂ」、「Ｃ，Ｃ」のうちのいずれかに一致した場合に、第３図柄表示装置１０に関して当りとなり、第３可変入賞装置８が作動し、その入賞口２７が約３．４秒の開放し、当該入賞口２７へのパチンコ球の入賞が可能となる。
【００７０】
また、変動停止した左図柄Ｅ及び右図柄Ｆの組み合せが、「０，０」に一致した場合には、第３図柄表示装置１０に関して外れとなる。前記の外れの場合、第３可変入賞装置１０の作動は行われない。
【００７１】
以上のように、実施形態のパチンコ遊技機は、第１図柄表示装置２、第２図柄表示装置９、第３図柄表示装置１０の３種類の図柄表示装置を備えると共に、第１図柄表示装置２の図柄変動開始に関わる第１作動口２３、第２図柄表示装置９の図柄変動開始に関わる第２作動口２５ａ，２５ｂ、第３図柄表示装置１０の図柄変動開始に関わる第３作動口２６の３種類の作動口と、第１乃至第３可変入賞装置７，８，９を備え、特に、第２作動口２５ａ，２６ｂへのパチンコ球の入賞を可能とする条件を、第１作動口２３への入賞発生によって図柄変動を行う第１図柄表示装置２における停止図柄による当り発生によって条件付けし、第３作動口２６へのパチンコ球の入賞を可能とする条件を、第２作動口２５ａ，２５ｂのいずれかへの入賞発生によって図柄変動を行う第２図柄表示装置９における停止図柄による当り発生によって条件付けし、第３可変入賞装置８の入賞口２７へのパチンコ球の入賞を可能とする条件を、第３作動口２６への入賞発生によって図柄変動を行う第３図柄表示装置１０における停止図柄による当り発生によって条件付けし、３種類の作動口２３，２５，２６及び３種類の図柄表示装置２，９，１０と可変入賞装置６，７，８とを前述の各条件付けによって関係付けすることにより、新規な遊技内容を設定するものである。
【００７２】
次に、図７において、メイン制御装置５４から払出制御装置６９に対して送信される賞球コマンド、エラーコマンド及びエラー解除コマンドについて説明する。
【００７３】
メイン制御装置５４は、図６に示すようにスイッチ入力回路５５を介して各入賞検出スイッチＳＷ１〜ＳＷ８に関する入賞検出を行うと共に、図７に示すように、スイッチ入力回路５６を介して空切り検出器５８、満タン検出器５７、賞品球用の排出球センサ７４に関する検出を行い、これらの情報に基いてコマンドデータを払出制御装置６９に送信する。
【００７４】
図１６は、メイン制御装置５４から払出制御装置６９に対して送信されるコマンドデータの送信タイミングを示すタイミングチャートである。また、図１７は、コマンドデータの内容を示す図である。コマンドデータは、図１７に示すように１組２バイトで構成され、図１６に示すように６ビットのデータ（Ｄ０〜Ｄ５）と２ビットの制御信号（ＥＮＡ信号及びＳＴＢ信号）によって１バイトずつ送信される。
【００７５】
図１６に示すように、メイン制御装置５４は、入賞検出スイッチＳＷ１乃至ＳＷ８の入賞検出を監視し、入賞検出スイッチＳＷ１乃至ＳＷ８の何れかの入賞を検出すると、検出した入賞の別に応じて予め設定されている払出個数に対応した賞球コマンドを作成する（図１７参照）。
【００７６】
そして、メイン制御装置５４は、まず、ＥＮＡ信号をローレベルに立ち下げて（ＥＮＡ信号をオフし）、賞球コマンドの送信を払出制御装置６９に対して指示する。次いで、ＳＴＢ信号をローレベルに立ち下げて（ＳＴＢ信号をオフして）データの受取を払出制御装置６９に対して指示する。賞球コマンドのうち、最初の１バイトのデータ（コマンド１）が送信される。そのコマンド１の送信が終了すると、メイン制御装置５４はＳＴＢ信号をハイレベルに立ち上げて（ＳＴＢ信号をオンして）一定のインターバルがおかれる。そして、再び、ＳＴＢ信号をローレベルに立ち下げてデータの受取をサブ制御部に対して指示すると共に、次の１バイトのデータ（コマンド２）が送信される。コマンド２の送信が終了すると、メイン制御装置５４はＳＴＢ信号をハイレベルに立ち上げ、次いで、ＥＮＡ信号をハイレベルに立ち上げ、今回のコマンドデータの送信を終了する。
【００７７】
払出制御装置６９は、メイン制御装置５４から送られたＥＮＡ信号の立ち下がりに応じてコマンドの受信を開始し、ＳＴＢ信号の立ち下がりに応じて、コマンド１とコマンド２とを順次受信し、ＲＡＭの所定領域に記憶する。そして、払出制御装置６９は、受信したコマンドデータ（この場合には賞球コマンド、即ち、払出個数）に応じて賞球モータＭ１を正転駆動して球排出装置７０からの賞品球の払出しを行う。
【００７８】
球排出装置７０からは前後２条の賞品球用排出路７２に１球ずつ交互に排出される。球排出装置７０から賞品球用排出路７２に排出されたパチンコ球は、前後２条の賞品球用排出路７２にそれぞれ設けた各排出球検出センサ７４によってそれぞれ検出され、各排出球センサ７４の検出信号がメイン制御装置５４と払出制御装置６９とに入力される。払出制御装置６９は、各排出球検出センサ７４からの検出信号が入力される毎に実際に排出された排出球数をカウントし、このカウント数が指令した払出個数に達すると、賞球モータＭ１を停止する。
【００７９】
また、メイン制御装置５４は、ソフトウェアによるタイマ割り込みにより２ｍｓ毎にスイッチ入力回路５６を介して空切り検出器５８、満タン検出器５７、賞品球用の各排出球検出センサ７４に関する検出の有無を監視しており、メイン制御装置５４が払出制御装置６９に対して賞球コマンドを送信した後、各排出球検出センサ７４からの検出信号が入力される毎に実際に排出された排出球数をカウントし、このカウント数が指令した払出個数に達すると、今回の払出指令に対する賞品球の払出し完了と判別する。
【００８０】
なお、メイン制御装置５４は、賞球コマンドの送信時点から今回の払出指令に対する賞品球の払出し完了と判別するまでの間、払出ランプ４６を点灯する。また、入賞検出に応じた次の賞球コマンドがあれば、賞球コマンドを払出制御装置６９に送信する。
【００８１】
また、メイン制御装置５４は、払出指令に関するエラーが検出された場合には、図１７に示したエラーの種別に応じたエラーコマンドを払出制御装置６９に対して送信する。また、エラーコマンドを払出制御装置６９に対して送信した後、検出された種別のエラーが解消された場合には、図１７に示した解消されたエラーに対応するエラー解除コマンドを払出制御装置６９に対して送信する。尚、送信タイミングは、図１６に示すタイミングと同じである。
【００８２】
例えば、メイン制御装置５４は、払出制御装置６９に対して賞球コマンドを送信した後、前後２条の賞品球用排出路７２に設けた２つの排出球検出センサ７４からの検出信号が入力されなかった場合、払出球未検出エラーと判別し、払出球未検出エラーコマンドを払出制御装置６９に送信する。払出制御装置６９は払出球未検出エラーコマンドを受信すると、図示しないエラー表示器により表示すると共に、再度賞球モータＭ１を駆動してパチンコ球の払い出しを行う。
【００８３】
メイン制御装置５４は、払出球未検出エラーコマンドを送信後、排出球検出センサ７４からの検出信号が入力されると、払出球未検出エラー解除と判別し、払出球未検出エラー解除コマンドを払出制御装置６９に送信する。払出制御装置６９は払出球未検出エラー解除コマンドを受信すると、図示しないエラー表示器による表示を消す。
【００８４】
また、メイン制御装置５４は、払出制御装置６９に対して賞球コマンドを送信した後、前後２条の賞品球用排出路７２に設けた２つの排出球検出センサ７４のうちの一方からの検出信号が入力されなかった場合、片払出しエラーと判別し、片払出しエラーコマンドを払出制御装置６９に送信する。払出制御装置６９は片払出しエラーコマンドを受信すると、図示しないエラー表示器により表示すると共に、再度賞球モータＭ１を駆動してパチンコ球の払い出しを行う。
【００８５】
メイン制御装置５４は、片払出しエラーコマンドを送信後、検出信号が入力されなかった一方の排出球検出センサ７４から検出信号が入力されると、片払出しエラー解除と判別し、片払出しエラー解除コマンドを払出制御装置６９に送信する。払出制御装置６９は片払出しエラー解除コマンドを受信すると、図示しないエラー表示器による表示を消す。
【００８６】
また、下皿に至る賞品球の排出経路にパチンコ球が満タン状態となると、満タン検出器５７がオンとなる。メイン制御装置５４は、満タン検出器５７が約２００ｍｓの間オン状態を維持している場合、満タン検出器エラーと判別し、満タン検出器エラーコマンドを払出制御装置６９に送信する。払出制御装置６９は満タン検出器エラーコマンドを受信すると、図示しないエラー表示器により表示すると共に、賞球モータＭ１及び発射モータＭ２を停止する。
【００８７】
メイン制御装置５４は、満タン検出器５７がオフすると、満タン検出器エラー解除と判別し、満タン検出器エラー解除コマンドを払出制御装置６９に送信する。払出制御装置６９は満タン検出器エラー解除コマンドを受信すると、図示しないエラー表示器による表示を消すと共に、賞球モータＭ１及び発射モータＭ２を駆動可能とする。
【００８８】
また、球排出装置７０にパチンコ球を供給する前後２条の球供給路７６のパチンコ球が球切れ状態となると、空切り検出器５８がオフとなる。なお、メイン制御装置５４は、空切り検出器５８の空切り検出信号を負論理で検出する。メイン制御装置５４は、空切り検出器５８が約６９６．５ｍｓの間オフ状態を維持している場合、空切り防止エラーと判別し、空切り防止エラーコマンドを払出制御装置６９に送信すると共に、球切れランプ４７を点灯する。払出制御装置６９は空切り防止エラーコマンドを受信すると、図示しないエラー表示器により表示すると共に、賞球モータＭ１を停止する。
【００８９】
メイン制御装置５４は、空切り検出器５８がオンすると、約１９９９ｍｓ後に、空切り防止エラー解除と判別し、空切り防止エラー解除コマンドを払出制御装置６９に送信する。払出制御装置６９は空切り防止エラー解除コマンドを受信すると、図示しないエラー表示器による表示を消すと共に、賞球モータＭ１を駆動可能とする。
【００９０】
このように、実施形態のパチンコ遊技機は、図５に示すように賞品球の払出し起動のための入賞球の検出を遊技盤面に設けられた各入賞口毎または遊技盤裏面に配設された球誘導樋の別に入賞検出手段（入賞検出スイッチ）を設け、メイン制御装置５４によって各入賞口に対して設定した賞品球の払出数毎に賞品球の払出し起動を行うようにし、球排出装置７０から実際に排出されたパチンコ球の排出玉数をメイン制御装置５４が監視するようにしている。
【００９１】
このため、各入賞口への入賞数と入賞発生によって実際に払い出された賞品球数との両方の賞品球払出に関する遊技情報が、メイン制御装置５４において管理することができ、両方の賞品球払出に関する遊技情報を正確に把握できる。
【００９２】
メイン制御装置で、入賞検出手段の検出と、空切り検出器の検出と、満タン検出器の検出と、払い出された排出玉数のカウントとを行い、これらの情報をコマンドデータとして払出制御装置に送信し、払出制御装置ではコマンドデータに基づき球払出処理を行い、更に払い出し制御装置は、発射モータの駆動制御や各種エラーの行う構成とし、必要に応じ払い出し制御装置は、メイン制御装置からのコマンドデータ以外にも独自にエラー検出やエラー処理を行い、メイン制御装置では検出不可能なエラー処理を行う。この構成による場合、遊技盤面で発生した多数の入賞球をパチンコ遊技機本体で集合して検出する集合入賞検出手段と、この集合された入賞球を１個毎に処理するための入賞球排出処理用のソレノイドあるいはモータは除いた構成とする。
【００９３】
また、メイン制御装置５４は、賞品球の払出指令に関するエラーが検出された場合には、エラーの種別に応じたエラーコマンドを払出制御装置６９に対して送信する一方、エラーコマンドを払出制御装置６９に対して送信した後、検出された種別のエラーが解消された場合には、解消されたエラーに対応するエラー解除コマンドを払出制御装置６９に対して送信するので、メイン制御装置５４において賞品球の払い出し動作に関する満タン検出器エラー、空切り防止エラー、片払出しエラー及び払出球未検出エラーを管理することができ、エラーの種別を正確に把握できる。
【００９４】
また、図７において、カードユニット７１を払出制御装置６９だけでなくメイン制御装置５４に通信接続すると共に貸球要求信号を払出制御装置６９とメイン制御装置５４との両方に送信すると共に、前後２条の貸球用排出路７３にそれぞれ設けられた各排出球センサ７５を払出制御装置６９だけでなくメイン制御装置５４にも接続し、メイン制御装置５４は、貸球要求信号に応じて球排出装置７０の貸球排出動作によって前後２条の貸球用排出路７３に排出される貸球の払出し個数の計数や、前後２条の貸球用排出路７３における片払出エラー及び貸球未検出エラーを監視する構成とすることができる。
【００９５】
前記の構成によれば、メイン制御装置５４が実際に払い出された貸球の個数と貸球の払出に関する片払出しエラーの発生と貸球未検出エラーの発生とを直接検出することができる。
【００９６】
また、貸球の片払出しエラーを検出した場合、片払出しエラーコマンドを払出制御装置６９に送信し、片払出しエラーコマンドを送信後、検出信号が入力されなかった一方の排出球センサ７５から検出信号が入力された場合に片払出しエラー解除と判別して片払出しエラー解除コマンドを払出制御装置６９に送信する構成とすることにより、前後２条の貸球排出路７３に排出される貸球の排出状態のそれぞれについて払出し状態にエラーが発生した場合に、片払出エラーの解除も直接管理することができる。
【００９７】
また、貸球未検出エラーを検出した場合、貸球未検出エラーコマンドを払出制御装置６９に送信し、貸球未検出エラーコマンドを送信後、検出信号が入力されなかった両方の排出球センサ７５からそれぞれ検出信号が入力された場合に貸球未検出エラー解除と判別して貸球未検出エラー解除コマンドを払出制御装置６９に送信する構成とすることにより、前後２条の貸球排出路７３に排出される貸球の排出状態のそれぞれについて払出し状態にエラーが発生した場合に、貸球未検出エラーの解除も直接管理することができる。
【００９８】
【発明の効果】
請求項１に記載のパチンコ遊技機によれば、前後２条の賞品球排出路の各々に排出球センサを設け、メイン制御装置が払出制御装置に賞品球の払出個数の設定をする賞球コマンドを送信した後、メイン制御装置が、排出球検出センサのうちの一方からの検出信号が入力されなかった場合に、片払出しエラーと判別して片払出しエラーコマンドを払出制御装置に送信し、片払出しエラーコマンドを送信後、検出信号が入力されなかった一方の排出球センサから検出信号が入力された場合に片払出しエラー解除と判別して片払出しエラー解除コマンドを払出制御装置に送信するので、前後２条の賞品球排出路に排出される賞品球の排出状態のそれぞれについて払出し状態にエラーが発生したことを検知することができ、すなわち、前後２条の賞品球排出路のいずれか一方に払出しエラーが発生した場合に、メイン制御装置が片払出しエラーとして直接管理することができると共に片払出エラーの解除も直接管理することができる。
【００９９】
請求項２に記載の構成によれば、賞品球の払出しと貸球の払出しとを賞球モータの回転方向を切換えるだけで賞品球と貸球とを別々の排出路に排出するので、賞品球と貸球との区別が容易であり、球排出装置の構造を単純なものとすることができる。
【図面の簡単な説明】
【図１】本実施形態のパチンコ遊技機に配備された遊技盤面の正面図
【図２】各表示ランプ並びに表示ＬＥＤを示す遊技盤面の正面図
【図３】センタ役物装置の拡大正面図
【図４】センタ役物装置を拡大して示す斜視図
【図５】各種入賞検出スイッチや各種ソレノイドの配設状態示す遊技盤の裏面図
【図６】実施形態のパチンコ遊技機に配備された制御系統の要部ブロック図
【図７】実施形態のパチンコ遊技機におけるパチンコ球の払出し装置の要部ブロック図
【図８】第１図柄表示装置において当りが発生し、第２図柄表示装置において当りが発生し、第３図柄表示装置において当りが発生した場合の第１乃至第３可変入賞装置の動作タイミングチャート
【図９】遊技状態の別に対応する第１図柄表示装置及び第２図柄表示装置の表示態様を示す表
【図１０】遊技状態の別に対応する第３図柄表示装置及び記憶数表示ＬＥＤの点灯態様を示す表
【図１１】遊技状態の別に対応する各種表示ランプ・ＬＥＤの点灯態様を示す表
【図１２】図１１の表のつづき
【図１３】図１２の表のつづき
【図１４】遊技状態の別に対応する効果音の音表示態様を示す表
【図１５】図１４の表のつづき
【図１６】メイン制御装置から払出制御装置に対して送信されるコマンドデータの送信タイミングを示すタイミングチャート
【図１７】メイン制御装置から払出制御装置に対して送信されるコマンドデータの内容を示す図
【符号の説明】
１  遊技盤面
２  第１図柄表示装置
３  図柄表示ユニット
４  センタ役物装置
５  第１可変入賞装置
６  第１可変入賞装置
７  第２可変入賞装置
８  第３可変入賞装置
９  第２図柄表示装置
１０  第３図柄表示装置
１１  基板
１２  天板
１３  仕切板
１４  上部入球部
１５  球受入口
１６  隔壁
１７  前面カバー
１８  下部入球部
１９  落入孔
２０  振分片
２１  回転体
２２  球入口
２３  第１作動口
２４  球出口
２５  第２作動口（第１可変入賞装置）
２６  第３作動口（第２可変入賞装置）
２７  入賞口（第３可変入賞装置）
２８  風車
２９  袖チャッカ
３０  袖下チャッカ
３１  落しチャッカ
３２  左装飾ＬＥＤ装置
３３  右装飾ＬＥＤ装置
３４  アウト受入口
３５  記憶数表示ＬＥＤ
３６  記憶数表示ＬＥＤ
３７  記憶数表示ＬＥＤ
３８  表示ランプ
３９  飾りＬＥＤ
４０  表示ランプ
４１  表示ランプ
４２  飾りＬＥＤ
４３  飾りＬＥＤ
４４  表示ランプ
４５  球レール
４６  払出しランプ
４７  球切れランプ
４８  ランプ付き風車
４９  球誘導樋
５０  球誘導樋
５１  球誘導樋
５２  球誘導樋
５３  球誘導樋
５４  メイン制御装置
５５  スイッチ入力回路
５６  スイッチ入力回路
５７  満タン検出器
５８  空切り検出器
５９  表示用ドライバ
６０  表示用ドライバ
６１  表示用ドライバ
６２  表示用ドライバ
６３  ドライバ
６４  ドライバ
６５  ドライバ
６６  音駆動部
６７  スピーカ
６８  払出し装置
６９  払出制御装置
７０  球排出装置
７１  カードユニット
７２  賞品球用排出路
７３  貸球用排出路
７４  排出球検出センサ（賞品球検出用）
７５  排出球検出センサ（貸球検出用）
７６  球供給路
Ｎ１〜Ｎ８  飾りＬＥＤ
Ｍ１  賞球モータ
Ｍ２  発射モータ
Ｍ３  回転体用モータ
ＳＯＬ１  ソレノイド
ＳＯＬ２  ソレノイド
ＳＯｌ３  ソレノイド
ＳＷ１  第１作動口入賞検出スイッチ
ＳＷ２ａ  第２作動口入賞検出スイッチ
ＳＷ２ｂ  第２作動口入賞検出スイッチ
ＳＷ３  第３作動口入賞検出スイッチ
ＳＷ４  入賞検出スイッチ
ＳＷ５  入賞検出スイッチ
ＳＷ６  入賞検出スイッチ
ＳＷ７  入賞検出スイッチ
ＳＷ８  入賞検出スイッチ
Ａ  左図柄（第１図柄表示装置）
Ｂ  右図柄（第１図柄表示装置）
Ｃ  左図柄（第２図柄表示装置）
Ｄ  右図柄（第２図柄表示装置）
Ｅ  左図柄（第３図柄表示装置）
Ｆ  右図柄（第３図柄表示装置）
【図１】
0004306893.tif 000002
【図２】
0004306893.tif 000003
【図３】
0004306893.tif 000004
【図４】
0004306893.tif 000005
【図５】
0004306893.tif 000006
【図６】
0004306893.tif 000007
【図７】
0004306893.tif 000008
【図８】
0004306893.tif 000009
【図９】
0004306893.tif 000010
【図１０】
0004306893.tif 000011
【図１１】
0004306893.tif 000012
【図１２】
0004306893.tif 000013
【図１３】
0004306893.tif 000014
【図１４】
0004306893.tif 000015
【図１５】
0004306893.tif 000016
【図１６】
0004306893.tif 000017
【図１７】
0004306893.tif 000018